(57)【要約】【課題】構造物を壊す打撃作業に用いられる打撃工具であって、コードレス化の利便性を享受できながら、稼動する時間を十分に得られるようにする。【解決手段】打撃工具１０は、電動モータ２１を内蔵する工具胴体１３と、ループハンドル３０を有する工具頭部１５とを有する。ここで、電動モータ２１とループハンドル３０とは、打撃駆動する打撃軸線Ｘ上に順に並べられている。ここで、この工具本体１１には充電式バッテリ４０を着脱可能とする２つのバッテリ装着部５１ａ，５１ｂが設けられている。ここで電動モータ２１には２つのバッテリ装着部５１ａ，５１ｂのそれぞれに装着された２つの充電式バッテリ４０のそれぞれから電力を供給することができる。【選択図】図１
2016165784.tif 000002
【特許請求の範囲】
【請求項１】
打撃駆動する打撃軸線上にモータとハンドルが順に並べられる工具本体を有する打撃工具であって、
前記工具本体には、前記モータの電源となる充電式バッテリが着脱可能に装着されるバッテリ装着部が配設されており、
前記バッテリ装着部は、複数の充電式バッテリを電源として使用可能に前記工具本体に複数設けられている、打撃工具。
【請求項２】
請求項１に記載の打撃工具において、
前記バッテリ装着部のそれぞれは、打撃軸線に対して互いに対称となる位置に配置されている、打撃工具。
【請求項３】
請求項１または請求項２に記載の打撃工具において、
前記工具本体は、前記モータを含んで打撃運動を発生させる駆動部を有し、
前記ハンドルを含む頭部ハウジングは、前記駆動部に対して弾性部材を介して支持されており、
前記頭部ハウジングには、前記バッテリ装着部が設けられている、打撃工具。
【請求項４】
請求項１から請求項３のいずれかに記載の打撃工具において、
前記ハンドルは、前記工具本体に対してループ形をなしており、
前記バッテリ装着部のそれぞれは、前記ハンドルの内側に設定されている、打撃工具。
【請求項５】
請求項１から請求項３のいずれかに記載の打撃工具において、
前記バッテリ装着部は、前記工具本体のハウジング内部に設けられ、
前記ハウジングには、該ハウジング内部の前記バッテリ装着部に装着可能とするバッテリ差込口が設けられている、打撃工具。
【請求項６】
請求項１から請求項３のいずれかに記載の打撃工具において、
前記バッテリ装着部のそれぞれは、前記ハンドルに対して打撃出力側となる前記工具本体の左右それぞれの側面に設定されており、
左側面に配置される左側バッテリ装着部は、該左側バッテリ装着部に装着された充電式バッテリの外周面が前記工具本体の最下端と該工具本体の左端とを結ぶ左側境界線より右側の範囲に収められるように設定されており、
右側面に配置される右側バッテリ装着部は、該右側バッテリ装着部に装着された充電式バッテリの外周面が前記工具本体の最下端と該工具本体の右端とを結ぶ右側境界線より左側の範囲に収められるように設定されている、打撃工具。
【発明の詳細な説明】
【技術分野】
【０００１】
この発明は、構造物を壊す打撃作業に用いられる打撃工具に関する。
【背景技術】
【０００２】
従来、はつりと称される構造物を壊す作業に、打撃工具が用いられている。このような打撃工具は、駆動源として電動モータが内蔵される。電動モータは、クランク機構を介して内蔵されるピストンを往復動させる。往復動するピストンは、内蔵される打撃子に往復動の伝達をする。往復動が伝達された打撃子は、工具先端（工具下端）に取り付けられたビットを連動させる。ビットは、構造物に対して破壊するように打撃駆動する。このような打撃工具には、打撃駆動する打撃軸線上にモータとハンドルが順に配置されるものが知られている（例えば特許文献１参照）。
【先行技術文献】
【特許文献】
【０００３】
【特許文献１】特開２００９−２０８２０８号公報
【発明の概要】
【発明が解決しようとする課題】
【０００４】
ところで、上記した打撃工具にあっては、利便性の観点から、コードレス化を図りたいとの要請がある。しかしながら、電源として装着される充電式バッテリの電力には限りがあり、高出力が求められる打撃工具であっても十分な電力量を充電式バッテリから確保できるようにしておきたい。
【０００５】
本発明は、このような事情に鑑みなされたものであって、本発明が解決しようとする課題は、打撃駆動する打撃軸線上にモータとハンドルが順に配置される構成で打撃作業に用いられる打撃工具において、コードレス化の利便性を享受できるようにしながら、高出力が求められる打撃工具であっても十分な電力量を充電式バッテリから確保できるようにすることにある。
【課題を解決するための手段】
【０００６】
上記した課題を解決するにあたって本発明に係る打撃工具は次の手段をとる。すなわち、本発明の第１の発明は、打撃駆動する打撃軸線上にモータとハンドルが順に並べられる工具本体を有する打撃工具であって、前記工具本体には、前記モータの電源となる充電式バッテリが着脱可能に装着されるバッテリ装着部が配設されており、前記バッテリ装着部は、複数の充電式バッテリを電源として使用可能に前記工具本体に複数設けられている、という構成である。
【０００７】
この第１の発明によれば、バッテリ装着部は複数の充電式バッテリを電源として使用可能に工具本体に複数設けられているので、バッテリ装着部に装着された充電式バッテリからモータに電力供給することができる。これによって、コードレス化の利便性を享受できる打撃工具とすることができる。また、バッテリ装着部は複数設けられているので、複数の充電式バッテリから電力を供給することができる。これによって、高出力が求められる打撃工具であっても十分な電力量を複数の充電式バッテリから確保することができる。例えば、複数の充電式バッテリを直列接続して高電圧の電力により打撃工具に高出力させることができる。具体的には、定格電圧が１８Ｖの２つの充電式バッテリを直列接続することにより、３６Ｖ仕様の電源として電力供給を可能とする。また、複数の充電式バッテリを並列接続して大容量の電力により打撃工具の稼動時間を延ばすことができる。具体的には、定格電圧が１８Ｖの２つの充電式バッテリを並列接続することにより、打撃工具の稼動時間を２倍の長さに延ばすことができる。
【０００８】
本発明の第２の発明は、前記第１の発明に係る打撃工具において、前記バッテリ装着部のそれぞれは、打撃軸線に対して互いに対称となる位置に配置されている、という構成である。この第２の発明によれば、バッテリ装着部のそれぞれは打撃軸線に対して互いに対称となる位置に配置されているので、打撃軸線に対しての対称方向のバランスが保たれたものとなる。これによって、重量バランスに優れた使用者にとって扱い易い打撃工具となる。
【０００９】
本発明の第３の発明は、前記第１または前記第２の発明に係る打撃工具において、前記工具本体は、前記モータを含んで打撃運動を発生させる駆動部を有し、前記ハンドルを含む頭部ハウジングは、前記駆動部に対して弾性部材を介して支持されており、前記頭部ハウジングには、前記バッテリ装着部が設けられている、という構成である。この第３の発明によれば、バッテリ装着部に充電式バッテリを装着すると、ハンドルを含む頭部ハウジング側の質量は大きくなって、ハンドルを含む頭部ハウジング側の防振効果は高められる。これによって、ハンドルは、振動が少ない扱い易いハンドルとなる。また、駆動部にて発生される振動は、弾性部材を介してバッテリ装着部に伝達される。これによって、充電式バッテリには軽減された振動が伝達されることとなって、振動による充電式バッテリの傷みを抑えることができる。
【００１０】
本発明の第４の発明は、前記第１から前記第３のいずれかの発明に係る打撃工具において、前記ハンドルは、前記工具本体に対してループ形をなしており、前記バッテリ装着部のそれぞれは、前記ハンドルの内側に設定されている、という構成である。この第４の発明によれば、バッテリ装着部のそれぞれに装着された充電式バッテリはループ形のハンドルの内側に存することとなるので、ハンドルにより充電式バッテリを外部衝突から守ることができる。
【００１１】
本発明の第５の発明は、前記第１から前記第３のいずれかの発明に係る打撃工具において、前記バッテリ装着部は、前記工具本体のハウジング内部に設けられ、前記ハウジングには、該ハウジング内部の前記バッテリ装着部に装着可能とするバッテリ差込口が設けられている、という構成である。この第５の発明によれば、バッテリ装着部に装着された充電式バッテリはハウジング内部に存するので、充電式バッテリを外部衝突から守ることができる上、装着された充電式バッテリの防塵防水効果を高めることができる。
【００１２】
本発明の第６の発明は、前記第１から前記第３のいずれかの発明に係る打撃工具において、前記バッテリ装着部のそれぞれは、前記ハンドルに対して打撃出力側となる前記工具本体の左右それぞれの側面に設定されており、左側面に配置される左側バッテリ装着部は、該左側バッテリ装着部に装着された充電式バッテリの外周面が前記工具本体の最下端と該工具本体の左端とを結ぶ左側境界線より右側の範囲に収められるように設定されており、右側面に配置される右側バッテリ装着部は、該右側バッテリ装着部に装着された充電式バッテリの外周面が前記工具本体の最下端と該工具本体の右端とを結ぶ右側境界線より左側の範囲に収められるように設定されている、という構成である。
【００１３】
この第６の発明によれば、バッテリ装着部のそれぞれはハンドルに対して打撃出力側となる工具本体の左右それぞれの側面に設定されているので、打撃工具の重心位置を下に下げることができる。ここで、左側バッテリ装着部に装着された充電式バッテリは左側境界線より右側の範囲に収められている。このため、打撃工具が左側に倒れてしまうことがあっても、先ず工具本体の左端を地面に当てさせることができ、左側バッテリ装着部に装着された充電式バッテリを地面に当てられ難くする。また、右側バッテリ装着部に装着された充電式バッテリは右側境界線より左側の範囲に収められている。このため、打撃工具が右側に倒れてしまうことがあっても、先ず工具本体の右端を地面に当てさせることができ、右側バッテリ装着部に装着された充電式バッテリを地面に当てられ難くする。これによって、バッテリ装着部に装着された充電式バッテリの保護を図ることができる。
【図面の簡単な説明】
【００１４】
【図１】第１の実施の形態の打撃工具の全体を模式的に示す全体正面図である。
【図２】第２の実施の形態の打撃工具の全体を模式的に示す全体正面図である。
【図３】第３の実施の形態の打撃工具の全体を模式的に示す全体正面図である。
【発明を実施するための形態】
【００１５】
［第１の実施の形態］
次に、本発明に係る第１の実施の形態の打撃工具１０について図１を参照しながら説明する。図１の全体正面図は、第１の実施の形態の打撃工具１０の全体を模式的に示している。なお、以下の打撃工具１０，１０Ａ，１０Ｂを説明するにあたっては、図面に記載のとおりの前後上下左右に沿って説明するものとする。なお、このように規定される打撃工具の前後上下左右は、この打撃工具の使用態様に鑑み、打撃工具の起立状態において規定される方向である。具体的には、図１では紙面手前側が打撃工具１０の前側となっており、紙面奥側が打撃工具１０の後側となっている。また、図１では紙面上側が打撃工具１０の上側となっており、紙面下側が打撃工具１０の下側となっている。また、図１では紙面右側が打撃工具１０の右側となっており、紙面左側が打撃工具１０の左側となっている。
【００１６】
この打撃工具１０は、主に下側へ向けて打撃するものであり、コンクリートなどで作られた構造物を壊す打撃作業に用いられる。この打撃工具１０は、電源として２つの充電式バッテリ４０が工具本体１１に装着されて使用される。なお図示符号Ｂは、構造物を壊す際に当てられるビットである。ここで、ビットＢの打撃駆動する駆動軸線が、図示符号Ｘの打撃軸線として設定される。つまり、ビットＢは、次に説明する駆動機構２０により打撃軸線Ｘ上で上下する打撃駆動をする。この打撃軸線Ｘは、この打撃工具１０の上下方向に延びており、打撃工具１０の左右中心軸線とも一致している。
【００１７】
図１に示すように、工具本体１１は、打撃駆動する打撃軸線Ｘ上に電動モータ２１とループハンドル３０とが順に並べられている。工具本体１１は、概略、駆動機構２０を内蔵する工具胴体１３と、ループハンドル３０を有する工具頭部１５とを有する。工具胴体１３は、ループハンドル３０に対して打撃出力側に配置されている。工具胴体１３は、本発明に係る工具本体の胴体に相当する。また、工具頭部１５は、本発明に係る工具本体の頭部に相当する。工具胴体１３は、出力側ハウジング１４を有して構成される。出力側ハウジング１４の内部には駆動機構２０が内装されている。これに対し工具頭部１５は、ループハンドル３０が設けられる頭部ハウジング１６を有して構成される。
【００１８】
駆動機構２０は、本発明に係る駆動部に相当する。駆動機構２０は、出力側ハウジング１４の内部に駆動部ハウジング２８を設けて構成される。駆動部ハウジング２８の内部には、電動モータ２１、動力変換機構２３、打撃機構２５、工具保持部２７が装置されている。ループハンドル３０を含む頭部ハウジング１６は、駆動部ハウジング２８に弾性支持される関係にある。具体的に言えば、頭部ハウジング１６は、ばね部材２９を介して駆動部ハウジング２８に支持されている。つまり、ばね部材２９は、ループハンドル３０を含む頭部ハウジング１６を駆動部ハウジング２８に対して上下方向で弾性支持する。ばね部材２９は、本発明に係る弾性部材に相当する。ばね部材２９は、主に上下方向に弾性変形可能なコイルばねにて構成され、駆動部ハウジング２８に対して少なくとも左右一対に配設されている。なお、出力側ハウジング１４には、サイドハンドル１８を固定するツマミナット１７が取り付けられている。
【００１９】
電動モータ２１は、本発明に係るモータに相当し、打撃工具１０の駆動源となっている。この電動モータ２１は、モータ軸の軸線が左右方向に延びる横置きにて配置されている。なお、この左右方向は、この打撃軸線Ｘと直交交差する方向として規定される。電動モータ２１は、後に詳述する２つのバッテリ装着部５０のそれぞれに装着された２つの充電式バッテリ４０から電力が供給されて回転駆動力を発生させる。電動モータ２１により発生された回転駆動力は動力変換機構２３に伝達される。動力変換機構２３は、図示省略のクランク等を内蔵し、伝達された回転駆動力を往復動運動に変換する。動力変換機構２３により変換された往復動運動は、打撃機構２５に伝達される。
【００２０】
打撃機構２５は、図示省略のピストンおよび打撃子を内蔵し、伝達された往復動運動を受けて工具保持部２７を打撃駆動させる。工具保持部２７は、チャック２７１を有し、先端工具としてのビットＢを保持する。この工具保持部２７に保持されるビットＢは、工具保持部２７の打撃駆動を受けて構造物を壊す打撃駆動をする。なお、この工具保持部２７をなすチャック２７１の位置が工具本体１１の最下端として設定される。なお、駆動機構２０を構成する、電動モータ２１、動力変換機構２３、打撃機構２５、工具保持部２７については、ループハンドル３０と共に打撃軸線Ｘ上に配置されている。
【００２１】
頭部ハウジング１６の上端部分にはループハンドル３０が設けられている。ループハンドル３０は、工具本体１１においてループ形状（輪状）にて形成されている。詳しく言えば、ループハンドル３０は、上端に位置される柱状部位３２が、左側連接部位３３および右側連接部位３４を介して下側に位置するベース部位３１と連なることにより形成されている。この柱状部位３２は、打撃軸線Ｘに対して直交交差する左右方向に延びている。なお、ベース部位３１は、工具胴体１３の出力側ハウジング１４と連なるように形成されている。また、右側連接部位３４には、図示省略の操作スイッチが設けられている。
【００２２】
ところで工具本体１１には、充電式バッテリ４０が着脱可能に装着されるバッテリ装着部５０が設けられている。なお、このバッテリ装着部５０は、後に説明する他の実施の形態のバッテリ装着部５０と比較して、工具本体１１に対する配設箇所については相違するものの、充電式バッテリ４０が装着される構成については同一のものとなっている。このため、全ての実施の形態のバッテリ装着部に対して括弧書きで共通符号５０を付している。なお、このバッテリ装着部５０に着脱可能に装着される充電式バッテリ４０は、電動モータ２１に供給する電力が充電される。この充電式バッテリ４０は、インパクトドライバやレシプロソーなどの多くの電動工具にて共用される充電式バッテリ（例えば株式会社マキタ製ＢＬ１８４０，ＢＬ３６２６等）となっている。
【００２３】
バッテリ装着部５０は、上記した電動工具に設けられるバッテリ装着部と同様、スライドさせることにより着脱されるスライド式の充電式バッテリ４０に対応した構造となっている。すなわち、充電式バッテリ４０は、バッテリ装着部５０に対して装着完了とされる場合には、図示省略の係止フックの係止によりバッテリ装着部５０に対して相対的に固定される。これに対して、充電式バッテリ４０の係止解除ボタンを押すと、バッテリ装着部５０に対する充電式バッテリ４０の係止フックの係止は解除される。そうすると、バッテリ装着部５０に対する充電式バッテリ４０の相対的なスライドは可能となり、充電式バッテリ４０をスライドさせてバッテリ装着部５０から取り外すことができる。このように設定されるバッテリ装着部５０は、工具本体１１に対して次のような位置に設けられる。
【００２４】
第１の実施の形態のバッテリ装着部５１（５０）は、図１に示すようにループハンドル３０のベース部位３１に２つ設けられている。このバッテリ装着部５１は、ループハンドル３０の内側となるベース部位３１の内周部位３５に設けられている。このバッテリ装着部５１は、このベース部位３１の内周部位３５に打撃軸線Ｘを対称軸として左右対称で対をなすように設けられている。ちなみに、打撃軸線Ｘに対して左側が左側バッテリ装着部５１ａとなっており、打撃軸線Ｘに対して右側が右側バッテリ装着部５１ｂとなっている。なお、左側バッテリ装着部５１ａと右側バッテリ装着部５１ｂとには、前から後に向けてスライドさせることにより充電式バッテリ４０が装着されるものとなっている。
【００２５】
これらのバッテリ装着部５１ａ，５１ｂの装着面は、互いにループハンドル３０の上端に位置される柱状部位３２に向いている。つまり、充電式バッテリ４０は、バッテリ装着部５１ａ，５１ｂに対して相対的に上側にて装着される。また、これら左側バッテリ装着部５１ａと右側バッテリ装着部５１ｂとは、工具頭部１５において打撃軸線Ｘに対して左右対称に設定されている。つまり、これらのバッテリ装着部５１ａ，５１ｂに装着された２つの充電式バッテリ４０の重心は、打撃軸線Ｘ上に存するように設定されている。なお、頭部ハウジング１６の前後方向の寸法は、バッテリ装着部５１ａ，５１ｂに装着された充電式バッテリ４０の前後方向の寸法よりも長くなっている。
【００２６】
上記した打撃工具１０によれば、次の作用効果を奏することができる。すなわち、上記した打撃工具１０によれば、工具本体１１には充電式バッテリ４０を着脱可能とするバッテリ装着部５１ａ（５０），５１ｂ（５０）が設けられているので、電動モータ２１には２つのバッテリ装着部５１ａ，５１ｂのそれぞれに装着された２つの充電式バッテリ４０のそれぞれから電力を供給することができる。これによって、コードレス化の利便性を享受できる打撃工具１０とすることができる。また、バッテリ装着部５１ａ，５１ｂは２つ設けられているので、２つの充電式バッテリ４０から電力を供給することができる。これによって、高出力が求められる打撃工具１０であっても十分な電力量を２つの充電式バッテリ４０から確保することができる。例えば、２つの充電式バッテリ４０を直列接続して高電圧の電力により打撃工具１０に高出力させることができる。具体的には、定格電圧が１８Ｖの２つの充電式バッテリ４０を直列接続することにより、３６Ｖ仕様の電源として電力供給を可能とする。また、２つの充電式バッテリ４０を並列接続して大容量の電力により打撃工具１０の稼動時間を延ばすことができる。具体的には、定格電圧が１８Ｖの２つの充電式バッテリ４０を並列接続することにより、打撃工具１０の稼動時間を２倍の長さに延ばすことができる。
【００２７】
また、上記した打撃工具１０によれば、バッテリ装着部５１ａ，５１ｂのそれぞれは打撃軸線Ｘに対して互いに左右対称となる位置に配置されているので、打撃軸線Ｘに対して対称方向となる左右バランスが保たれたものとなる。これによって、重量バランスに優れた使用者にとって扱い易い打撃工具１０となる。また、上記した打撃工具１０によれば、ループハンドル３０を含む頭部ハウジング１６は、駆動部ハウジング２８に対してばね部材２９を介して支持されている。この頭部ハウジング１６には、バッテリ装着部５１ａ，５１ｂが設けられている。これによって、バッテリ装着部５１ａ，５１ｂに充電式バッテリ４０が装着されているとループハンドル３０側の質量は大きくなる。このようにして、駆動機構２０からループハンドル３０側への振動は抑えられることとなる。したがって、ループハンドル３０の防振効果が高められて使用者にとって扱い易い打撃工具となる上、バッテリ装着部５１ａ，５１ｂに装着された充電式バッテリ４０の駆動機構２０からの振動が受け難いものにされ、充電式バッテリ４０の保護を図ることができる。
【００２８】
また、上記した打撃工具１０によれば、バッテリ装着部５１ａ，５１ｂのそれぞれに装着された充電式バッテリ４０はループハンドル３０の内周部位３５に存することとなる。これによって、打撃工具１０が前後左右で倒れることがあっても、ループハンドル３０を含む頭部ハウジング１６が地面に当たることにより、装着された充電式バッテリ４０が地面に当てられることから守ることができる。これによって、バッテリ装着部５１ａ，５１ｂに装着された充電式バッテリ４０の保護を図ることができる。また、このようにループハンドル３０の内周部位３５となる工具頭部１５側にバッテリ装着部５１ａ，５１ｂが設けられていると、使用者は立ったままで、一方の手でループハンドル３０を握りながら他方の手で充電式バッテリ４０を着脱することができ、充電式バッテリ４０の交換がし易くなる。
【００２９】
［第２の実施の形態］
これ以降、上記した第１の実施の形態とは相違する第２および第３の実施の形態について図２および図３を参照しながら説明する。なお、これらの第２および第３の実施の形態にあっては、上記した第１の実施の形態の打撃工具１０と比較して、概ね、バッテリ装着部５０の配設位置などに関する構成のみが相違するものとなっている。このため、以下に説明する第２および第３の実施の形態では、他の実施の形態と略同様に構成される箇所について他の実施の形態にて付した符号と同一の符号を図面に付して説明を省略するものとする。次に、第２の実施の形態の打撃工具１０Ａについて図２を参照しながら説明する。図２の全体正面図は、第２の実施の形態の打撃工具１０Ａの全体を模式的に示している。
【００３０】
この第２の実施の形態の打撃工具１０Ａは、第１の実施の形態の打撃工具１０と比較して、左側連接部位３３および右側連接部位３４の長さが短くされている。これらの左側連接部位３３および右側連接部位３４は、下側（重力方向下側）に向かって互いに向かい合う内側に延設されている。これらの左側連接部位３３および右側連接部位３４のそれぞれの外側面３６ａ，３６ｂには、バッテリ差込口５５ａ，５５ｂが設けられている。具体的に言えば、左側連接部位３３の左側面３６ａには左バッテリ差込口５５ａが設けられ、右側連接部位３４の右側面３６ｂには右バッテリ差込口５５ｂが設けられている。これらのバッテリ差込口５５ａ，５５ｂは、頭部ハウジング１６内部のバッテリ装着部５２（５０）に向けて、充電式バッテリ４０を装着可能とするハウジングの挿入開口部として設定される。
【００３１】
これらのバッテリ差込口５５ａ，５５ｂを含むバッテリ装着部５２ａ，５２ｂにあっても、工具頭部１５において打撃軸線Ｘに応じた左右対称位置に対をなすようにして設けられている。第２の実施の形態の打撃工具１０Ａのバッテリ装着部５２（５０）は、工具本体１１の一部である頭部ハウジング１６の内部に設けられている。このバッテリ装着部５２（５０）は、頭部ハウジング１６のベース部位３１に設けられている。具体的には、ベース部位３１内部には、上記したバッテリ差込口５５ａ，５５ｂと通じるバッテリ挿入空間５６ａ，５６ｂが設けられている。これらのバッテリ挿入空間５６ａ，５６ｂは、頭部ハウジング１６のベース部位３１の内部を抉るようにようにして設けられている。
【００３２】
これらのバッテリ挿入空間５６ａ，５６ｂの空間は、バッテリ差込口５５ａ，５５ｂから互いに向かい合う内側（奥側）に向かうにしたがって下側（重力方向下側）に傾斜するようにように設定されている。このため、充電式バッテリ４０をバッテリ差込口５５ａ，５５ｂからバッテリ挿入空間５６ａ，５６ｂに挿入するにあたっては、装着面を下側に向けて斜め下側（重力方向下側）に向けて差し込むように挿入される。また、これらのバッテリ挿入空間５６ａ，５６ｂには、充電式バッテリ４０を着脱可能に装着されるバッテリ装着部５２ａ，５２ｂが設けられている。バッテリ装着部５２ａ，５２ｂは、充電式バッテリ４０が装着される装着面が上側に向けられて、バッテリ挿入空間５６ａ，５６ｂの下側面に設定されている。なお、バッテリ挿入空間５６ａ，５６ｂに挿入されて、バッテリ装着部５２ａ，５２ｂに装着された充電式バッテリ４０は、この充電式バッテリ４０を取り外すことができるように、挿入基側の一部が外部に露出されるようになっている。
【００３３】
この第２の実施の形態の打撃工具１０Ａによれば、上記した第１の実施の形態の打撃工具１０にて説明した、左右バランスに優れながら、コードレス化の利便性を享受できつつ稼動時間を十分とする作用効果を奏することができる。また、この第２の実施の形態の打撃工具１０Ａによれば、バッテリ装着部５２ａ，５２ｂに装着された充電式バッテリ４０は頭部ハウジング１６内部に存するので、充電式バッテリ４０を外部衝突から守ることができる上、装着された充電式バッテリ４０の防塵防水効果を高めることができる。また、第２の実施の形態のバッテリ装着部５２ａ，５２ｂに装着された充電式バッテリ４０のそれぞれは、第１の実施の形態のバッテリ装着部５１ａ，５１ｂに装着された充電式バッテリ４０と比較して、左右外側に離れて配置される。これによって、左右バランスに優れた使用者にとって扱い易い打撃工具１０Ａとなる。
【００３４】
また、バッテリ挿入空間５６ａ，５６ｂに挿入される充電式バッテリ４０の挿入方向は、重力方向に依存する斜め下側となっている。これによって、バッテリ挿入空間５６ａ，５６ｂに充電式バッテリ４０を挿入するにあたっては、充電式バッテリ４０の自重を利用しながら挿入させることとなる。したがって、バッテリ装着部５２ａ，５２ｂに対して充電式バッテリ４０を装着させ易くする上、バッテリ装着部５２ａ，５２ｂに対する装着後の充電式バッテリ４０の外れもし難くすることができる。
【００３５】
［第３の実施の形態］
次に、第３の実施の形態について図３を参照しながら説明する。図３の全体正面図は、第３の実施の形態の打撃工具１０Ｂの全体を模式的に示している。第３の実施の形態の打撃工具１０Ｂは、第３の実施の形態の打撃工具１０Ｂと比較してバッテリ装着部５３が工具胴体１３に設けられている。この第３実施の形態のバッテリ装着部５３（５０）にあっても、左側バッテリ装着部５３ａと右側バッテリ装着部５３ｂとが、工具胴体１３において打撃軸線Ｘに対して左右対称位置に対をなすようにして設けられている。なお、工具胴体１３は、頭部ハウジング１６のベース部位３１に対して、境界無く工具頭部１５と連接されている。すなわち、工具胴体１３は、工具頭部１５と連接される上側部１３１と、その上側部１３１と連接される下側部１３２とを有する。上側部１３１は、ベース部位３１の左右幅に一致してベース部位３１の下側に連なっている。これに対し下側部１３２は、上側部１３１の左右幅を狭くして上側部１３１に連なっている。
【００３６】
この工具胴体１３の下側部１３２には、バッテリ装着部５３が設けられている。具体的には、下側部１３２の左側面１３ａには左側バッテリ装着部５３ａが設けられており、下側部１３２の右側面１３ｂには右側バッテリ装着部５３ｂが設けられている。つまり、左側バッテリ装着部５３ａは、下側部１３２をなす出力側ハウジング１４の左側面１３ａにおいて左側に装着面を向けて設定されている。また、右側バッテリ装着部５３ｂは、下側部１３２をなす出力側ハウジング１４の右側面１３ｂにおいて右側に装着面を向けて設定されている。これら左側バッテリ装着部５３ａと右側バッテリ装着部５３ｂとには、下から上に向けてスライドさせることにより充電式バッテリ４０が装着されるものとなっている。なお、この第３実施の形態のバッテリ装着部５３（５０）にあっても、左側バッテリ装着部５３ａと右側バッテリ装着部５３ｂとは、工具胴体１３において打撃軸線Ｘに対して左右対称位置に対をなすようにして設けられている。
【００３７】
第３の実施の形態の打撃工具１０Ｂには、２つの境界線Ｓ１，Ｓ２が設定されている。すなわち、工具本体１１のチャック２７１の下端（Ｙ１）と、ループハンドル３０の左下端縁部３７（Ｙ２）とを結ぶ線が左側境界線Ｓ１として設定される。また、工具本体１１のチャック２７１の下端（Ｙ１）と、ループハンドル３０の右下端縁部３８（Ｙ３）とを結ぶ線が右側境界線Ｓ２として設定される。なお、チャック２７１は、工具本体１１の最下端として規定している。また、ループハンドル３０の左下端縁部３７は工具本体１１の左端として規定しており、ループハンドル３０の右下端縁部３８は工具本体１１の右端として規定している。ここで、左側バッテリ装着部５３ａは、左側バッテリ装着部５３ａに装着された充電式バッテリ４０の外周面４０ａが左側境界線Ｓ１より右側の範囲に収められるように設定されている。また、右側バッテリ装着部５３ｂは、右側バッテリ装着部５３ｂに装着された充電式バッテリ４０の外周面４０ｂが右側境界線Ｓ２より左側の範囲に収められるように設定されている。
【００３８】
この第３の実施の形態の打撃工具１０Ｂによれば、上記した第１の実施の形態の打撃工具１０にて説明した、左右バランスに優れながら、コードレス化の利便性を享受できつつ稼動時間を十分とする作用効果を奏することができる。また、これに加え、第３の実施の形態の打撃工具１０Ｂによれば、バッテリ装着部５３ａ，５３ｂのそれぞれはループハンドル３０に対して打撃出力側となる工具胴体１３の左右それぞれの側面１３ａ，１３ｂに設定されているので、打撃工具１０Ｂの重心位置を下に下げることができる。ここで、左側バッテリ装着部５３ａに装着された充電式バッテリ４０は左側境界線Ｓ１より右側の範囲に収められている。このため、打撃工具１０Ｂが左側に倒れてしまうことがあっても、先ずループハンドル３０の左下端縁部３７を地面に当てさせることができ、左側バッテリ装着部５３ａに装着された充電式バッテリ４０が地面に当てられ難くなっている。
【００３９】
また、右側バッテリ装着部５３ｂに装着された充電式バッテリ４０は右側境界線Ｓ２より左側の範囲に収められている。このため、打撃工具１０Ｂが右側に倒れてしまうことがあっても、先ずループハンドル３０の右下端縁部３８を地面に当てさせることができ、右側バッテリ装着部５３ｂに装着された充電式バッテリ４０が地面に当てられ難くなっている。これによって、バッテリ装着部５３に装着された充電式バッテリ４０の保護を図ることができる。
【００４０】
なお、本発明に係る打撃工具としては、上記した打撃工具の例に限定されるものではなく適宜に変更して構成されるものであってもよい。すなわち、上記した第１〜第３の実施の形態のバッテリ装着部５１，５２，５３にあっては、工具本体１１に対して全て２つずつ設けられるものとなっていた。しかしながら、本発明に係るバッテリ装着部は、これに限定されることなく、３つ以上の個数で工具本体に設けられるものであってもよい。ただ、このようにバッテリ装着部の個数を３つ以上とした場合には、上記した実施の形態のように打撃軸線Ｘに対しての前後左右のバランスを鑑みて配置位置が設定されることが好ましい。また、上記した実施の形態にあっては、充電式バッテリ４０を保護するように、カバーや保護リブのような保護部材が設けられるものであってもよい。このような保護部材が設けられていると、装着された充電式バッテリ４０の防塵防水効果を高めたり、装着された充電式バッテリ４０を外部衝突から守ったりすることができる。また、上記した第１〜第３の実施の形態のほか、これらの各構成の種々の部分を適宜に組み合わせることにより成し得る実施の形態とするものであってもよい。
【符号の説明】
【００４１】
１０，１０Ａ，１０Ｂ  打撃工具
１１  工具本体
１３  工具胴体
１３ａ  工具胴体の左側面
１３ｂ  工具胴体の右側面
１３１  工具胴体の上側部
１３２  工具胴体の下側部
１４  出力側ハウジング
１５  工具頭部
１６  頭部ハウジング
１７  ツマミナット
１８  サイドハンドル
２０  駆動機構
２１  電動モータ
２３  動力変換機構
２５  打撃機構
２７  工具保持部
２７１  チャック
２８  駆動部ハウジング
２９  ばね部材（弾性部材）
３０  ループハンドル
３１  ベース部位
３２  柱状部位
３３  左側連接部位
３４  右側連接部位
３５  内周部位
３６ａ  左側面
３６ｂ  右側面
３７  左下端縁部
３８  右下端縁部
４０  充電式バッテリ
４０ａ  左側の充電式バッテリの外周面
４０ｂ  右側の充電式バッテリの外周面
５０（５１，５２，５３）  バッテリ装着部
５１ａ，５２ａ，５３ａ  左側バッテリ装着部
５１ｂ，５２ｂ，５３ｂ  右側バッテリ装着部
５５ａ（５５）  左バッテリ差込口
５５ｂ（５５）  右バッテリ差込口
５６ａ，５６ｂ  バッテリ挿入空間
Ｂ  ビット
Ｓ１  左側境界線
Ｓ２  右側境界線
Ｘ  打撃軸線
【図１】
2016165784.tif 000003
【図２】
2016165784.tif 000004
【図３】
2016165784.tif 000005